(57)【要約】【課題】原稿吸着手段を備えることによりコンタクトガラス上で大量原稿読み取り作業を効率良く行なえる画像読取装置を提供する。【解決手段】原稿台２上に載置した原稿５を読み取る画像読取装置において、前記原稿台２上の前記原稿５を読み取る読取部と、前記原稿台２に前記原稿５を押さえ付ける開閉可能な圧板３と、この圧板３に設けた、前記原稿５を吸着する原稿吸着手段６とを備えており、前記原稿吸着手段６の吸着制御操作部４を、前記圧板３に配置した。【選択図】図１
2008026733.tif 000002
【特許請求の範囲】
【請求項１】
原稿台上に載置した原稿を読み取る画像読取装置において、前記原稿台上の前記原稿を読み取る読取部と、前記原稿台に前記原稿を押さえ付ける開閉可能な圧板と、を備え、前記圧板上に、前記原稿を吸着する原稿吸着手段と、前記原稿吸着手段を吸着動作させる吸着操作部と、を設けたことを特徴とする画像読取装置。
【請求項２】
前記吸着操作部は、単一の押しボタンスイッチであり、前記吸着操作部が押下される期間中のみ原稿を吸着するように前記原稿吸着手段を吸着動作させることを特徴とする請求項１記載の画像読取装置。
【発明の詳細な説明】
【技術分野】
【０００１】
本発明は、コンタクトガラス上に原稿を載置して読み取る、複写機、イメージスキャナなどの画像読取装置に関するものである。
【背景技術】
【０００２】
複写機やイメージスキャナなどの原稿を読み取る装置は、通常、コンタクトガラス上に原稿を載置し、その下を走査することで原稿面の情報を読み取る仕組みになっている。また、大量の原稿がある時はＡＤＦ（自動原稿搬送装置）が備わっていれば、自動で原稿を１枚ずつ給紙しながら読み取る方法もある。
ＡＤＦの場合、原稿を機械の力で搬送させるため、紙質、厚さなどの条件が限定されてしまうのが普通である。また、条件に合う原稿であってもその原稿が大変貴重な場合、ジャムによる原稿破損の危険性を避けるため、やはりＡＤＦでは読み取りできない場合がある。従って、これらの原稿の場合は大量にあっても１枚１枚をコンタクトガラス上に載置して読み取りをすることになり、非常に労力を必要としてしまう。
【０００３】
大量原稿をコンタクトガラス上で１枚ずつ読み取る作業では、コンタクトガラス上にあって原稿を押える役割がある圧板の開閉作業と、読み取り済みの原稿とこれから読み取る原稿の入れ換えをする作業の２つを同時に実行する手順となるが、普通、圧板は開けた状態を保持できないため、手で保持をする必要があり、原稿入れ換え作業は片手の作業を余儀なくされてしまう。
この時、作業の効率を考えると読み取り中に次の原稿を持って載置する準備をしておけば効率的であるが、読み取り後に圧板を開けると、まず、コンタクトガラス上に残っている読み取り後の原稿を取り除かなければならないため、事前に次の原稿を持って準備することができない。
【０００４】
そこで、圧板に原稿吸着手段を設け、読み取り後に圧板を開けると読み取り済みの原稿が圧板に吸着されていれば、読み取り中に次の原稿の準備をして、読み取り後に、まず、次の原稿をコンタクトガラス上に載置し、その後圧板に吸着した読み取り後の原稿を取り除くという手順に変えることができる（例えば、特許文献１参照）。
特許文献１では、本発明とは目的が異なるが圧板に原稿を吸着する技術が開示されており、かかる圧板への原稿吸着技術は読み取り中に次の原稿を持って載置する準備をしておき効率的に原稿入れ換え作業を行なう技術に応用することができる。
【特許文献１】特開平９−８１３０４号公報
【発明の開示】
【発明が解決しようとする課題】
【０００５】
しかしながら、圧板に原稿吸着手段を設けた場合、吸着のオン／オフを制御する制御手段が必要になり、その操作手順が追加されることになるため、結局、手順が１つ増えることで作業効率が変わらない可能性がある。
そこで、本発明の目的は、上述した実情を考慮して、このような原稿吸着手段を備えることによりコンタクトガラス上で大量原稿読み取り作業を効率良く行なえる画像読取装置を提供することにある。
【課題を解決するための手段】
【０００６】
上記の課題を解決するために、請求項１記載の発明は、原稿台上に載置した原稿を読み取る画像読取装置において、前記原稿台上の前記原稿を読み取る読取部と、前記原稿台に前記原稿を押さえ付ける開閉可能な圧板と、を備え、前記圧板上に、前記原稿を吸着する原稿吸着手段と、前記原稿吸着手段を吸着動作させる吸着操作部と、を設けた画像読取装置を特徴とする。
請求項２に記載の発明は、前記吸着操作部は、単一の押しボタンスイッチであり、前記吸着操作部が押下される期間中のみ原稿を吸着するように前記原稿吸着手段を吸着動作させる請求項１記載の画像読取装置を特徴とする。
【発明の効果】
【０００７】
本発明によれば、原稿を載置する原稿台と、この原稿台上の原稿を読み取る読取部と、前記原稿台に原稿を押さえ付ける開閉可能な圧板と、この圧板に設けた原稿を吸着する原稿吸着手段とを備え、前記原稿吸着手段の吸着制御操作部を、前記圧板に備えるため、原稿台（コンタクトガラス）を使った大量原稿の読み取り作業時に、非常に効率の良い手順で作業を進めることが可能となる。
【発明を実施するための最良の形態】
【０００８】
以下、図面を参照して、本発明の実施の形態を詳細に説明する。図１は本発明を適用し得るイメージスキャナ（画像読取装置）を示す概略斜視図である。図２は原稿吸着手段として静電吸着手段を採用した場合を示す概略斜視図である。
図１及び図２において、イメージスキャナＡのスキャナ本体１には原稿５を載置するためのコンタクトガラス（原稿台）２、及び原稿５を吸着する原稿吸着手段（静電吸着パネル）６を配置する圧板３がスキャナ本体１の上面を覆うように適宜な方法によって配置されている。
このコンタクトガラス２上に載置された原稿５をスキャナ本体１の内部にある読取部（図示せず）で読み取りを行い、原稿５の画像情報を読み取るようになっている。圧板３はスキャナ本体１の上でコンタクトガラス２を覆うように被さっており、読み取り中の原稿５を上から押える働きをする。
【０００９】
また、本発明の特徴として、圧板３には原稿５を吸着する原稿吸着手段６、及び原稿吸着手段６の吸着のオン／オフを操作する押しボタンスイッチ（吸着操作部）４が適宜な方法で配置してある。原稿吸着手段６は押しボタンスイッチ４を押し続けている間のみ、吸着力が働くようになっている。
もし押しボタンスイッチ４から指を離しても吸着力を保持するようにしたい場合は、押しボタンスイッチ４をオン用とオフ用の２つに分けたり、シーソースイッチのような操作が保持されるスイッチにすることも考えられる。
【００１０】
図３は原稿吸着手段として静電吸着手段を採用した場合を示すブロック図である。図３において、スキャナ本体１及び圧板３は平面的に配置されている。圧板３には原稿吸着手段６である静電吸着パネル及び押しボタンスイッチ４が配置されている。
スキャナ本体１には、静電吸着パネル６に接続される電源生成部７、この電源生成部７と接続されかつ押しボタンスイッチ４と接続される電源制御部８、及び、この電源制御部８に接続されるスキャナ本体電源部９が配置されている。
電源生成部７は静電吸着パネル６用であり、この電源生成部７は電源制御部８によって制御され、この電源制御部８は、また、スキャナ本体電源部９を制御している。
【００１１】
図１をもとに読み取り後の原稿の入れ換え操作手順について説明する。読み取り後、例えば、左手で圧板３を開閉する場合、左手の指で押しボタンスイッチ４を押しながら圧板３を上に持ち上げて開く。
すると、押しボタンスイッチ４を押しているので、原稿吸着手段６の吸着力が働き、読み取りが終了した原稿５は静電吸着パネル６に吸着したまま圧板３と一緒に上に持ち上げられる。
【００１２】
次に、右手は読み取り中に次の原稿を手に持ち準備しており、読み取りが終わって左手が圧板３を持ち上げた時に、読み取りが終了した原稿５が圧板３と一緒に持ち上げられるため、何も載置されていない状態のコンタクトガラス２の上に次の原稿を載置することができる。
その後、左手は圧板３を開けたまま押しボタンスイッチ４を押している指を離し、原稿吸着手段６の吸着力を無効にして、吸着されている原稿５を圧板３から分離落下させる。
【００１３】
原稿吸着手段６の吸着力を無効にすることにより、圧板３から落下した原稿５を、次の原稿を載置し終わって空いた右手により取り除き、左手が圧板３を下ろせば、次の原稿を読み取り開始できる状態になる。
吸着制御操作部としてただ１つの押しボタンスイッチ４を備え、この押しボタンスイッチ４を押している間だけ原稿を吸着するようにしている。これによって操作手順をより少なくできるとともに、直感的な制御が可能となり、作業効率向上効果がさらに大きくなる。
【図面の簡単な説明】
【００１４】
【図１】本発明を適用し得るイメージスキャナを示す概略斜視図である。
【図２】原稿吸着手段として静電吸着手段を採用した場合を示す概略斜視図である。
【図３】原稿吸着手段として静電吸着手段を採用した場合を示すブロック図である。
【符号の説明】
【００１５】
Ａ  イメージスキャナ
１  スキャナ本体  
２  コンタクトガラス
３  圧板
４  押しボタンスイッチ
５  原稿
６  静電吸着パネル
【図１】
2008026733.tif 000003
【図２】
2008026733.tif 000004
【図３】
2008026733.tif 000005